(57)【要約】【課題】光を無駄なく最大限に利用して明るい出射光を得る。【解決手段】平面照明装置１は、光源１１と、導光板２と、ケース１２とを具備する。導光板２は、光源１１からの光を導く入射端面部３と、入射端面部３からの入射光を出射する出射面部６と、出射面部６の反対側に位置する反出射面部５と、これら出射面部６と反出射面部５とに交わる側面部７とを有する。出射面部６や反出射面部５には、投射した形状が鼓形形状を有し、鼓形形状の凹部分が任意の曲率半径で欠切するとともに傾斜曲面８ａ，８ｂを有し、鼓形形状の両端の直線部分８ｄが互いに球曲面８ｃで接続されているアーチ状形状をした凹状素子８を設ける。【選択図】    図１
2008027665.tif 000002
【特許請求の範囲】
【請求項１】
光を導く入射端面部と、前記入射端面部からの入射光を出射する出射面部と、当該出射面部の反対側に位置する反出射面部と、これら前記出射面部と前記反出射面部とに交わる側面部とを有する導光板において、
投射した形状が鼓形形状を有し、前記鼓形形状の凹部分が任意の曲率半径で欠切するとともに傾斜曲面を有し、前記鼓形形状の両端の直線部分が互いに球曲面で接続されているアーチ状形状をした凹状素子を前記出射面部または／および前記反出射面部に設けたことを特徴とする導光板。
【請求項２】
前記凹状素子は、何れか１つの前記傾斜曲面を前記入射端面部方向に向けて配置することを特徴とする請求項１記載の導光板。
【請求項３】
前記出射面部または／および前記反出射面部の前記入射端面部以外の端辺部の付近に前記入射端面部方向に反射する凹状の反射素子をさらに具備したことを特徴とする請求項１記載の導光板。
【請求項４】
前記反射素子は、前記入射端面部方向に存在する前記凹状素子の前記入射端面部方向の反対側の前記傾斜曲面に対応した位置に設けることを特徴とする請求項３記載の導光板。
【請求項５】
前記反射素子は、少なくとも１つの前記反射面を有し、三角柱凹形状、台形柱凹形状、三角錐凹形状、四角錐凹形状、円錐凹形状の何れかからなることを特徴とする請求項３または４記載の導光板。
【請求項６】
光源と、
該光源からの光を導く入射端面部と、前記入射端面部からの入射光を出射する出射面部と、当該出射面部の反対側に位置する反出射面部と、これら前記出射面部と前記反出射面部とに交わる側面部とを有し、投射した形状が鼓形形状を有し、前記鼓形形状の凹部分が任意の曲率半径で欠切するとともに傾斜曲面を有し、前記鼓形形状の両端の直線部分が互いに球曲面で接続されているアーチ状形状をした凹状素子を前記出射面部または／および前記反出射面部に設けた導光板とを少なくとも具備したことを特徴とする平面照明装置。
【請求項７】
前記導光板は、前記出射面部または／および前記反出射面部の前記入射端面部以外の端辺部の付近に前記入射端面部方向に反射する凹状の反射素子を設けたことを特徴とする請求項６記載の平面照明装置。
【請求項８】
前記導光板は、前記入射端面部方向に存在する前記凹状素子の前記入射端面部方向の反対側の前記傾斜曲面に対応した位置に反射素子を設けることを特徴とする請求項６記載の平面照明装置。
【請求項９】
前記導光板は、前記凹状素子の何れか１つの前記傾斜曲面を前記光源方向に向けて配置することを特徴とする請求項６〜８の何れかに記載の平面照明装置。
【発明の詳細な説明】
【技術分野】
【０００１】
本発明は、導光板の表面部や裏面部に投射した形状が鼓形形状をして、この鼓形形状の凹部分が任意の曲率半径で欠切するとともに傾斜曲面を有し、鼓形形状の両端の直線部分が互いに球曲面で接続されているアーチ状形状をした凹状の凹状素子を設け、さらに表面部や裏面部の入射端面部以外の端辺部の付近に入射端面部方向に反射する凹状の反射素子を設けることにより、導光板内に入射した光源からの光が凹状素子の傾斜曲面に遭遇し、傾斜曲面によって光が広がりを持って反射や屈折をし、指向性の光でも光を広げて均一な出射光を得ることができ、さらに、入射端面部方向からの光を凹状素子の傾斜曲面で透過屈折して来た光を反射素子で反射して再度凹状素子の傾斜曲面に向け、再度凹状素子の傾斜曲面で反射素子からの反射光を、広がりを持って反射や屈折をすることができ、無駄なく光を最大限に利用することができるために明るい出射光を得ることができる導光板とこの導光板を用いた平面照明装置に関するものである。
【背景技術】
【０００２】
従来の平面照明装置としては、導光板の表面部や裏面部に反射部材を設け、どちらか一方に帯状のスリットである欠切部を設け、欠切部が光源に近いほど小さく、光源が点状の場合には点光源の発光部を中心とする円弧状スリットを設け、光源からの距離が大きくなるにつれスリット間が狭くなるようにしたものが知られている。
【０００３】
また、従来の平面照明装置として、導光板の表面側に拡散部材を設けるとともに裏面側に反射部材を設け、導光板の反射面（裏面）に所定の長さを有する断面Ｖ字状のＶ字溝が光源と平行に各々が所定の間隔をもって離隔して一列にて配置され各列の隣接列が交互に千鳥状に配置し、光源から遠ざかるにつれ間隔が徐々に小さくなるように配列するものが知られている。
【０００４】
さらに、従来の導光板としては、表面や裏面全体に反射屈折させるＶ溝の窪みを入射方向に平行に多数断続的に千鳥状や円弧状に設け、光の進行方向に沿って窪み同士の間に隙間を設け、光源から遠ざかるにつれ間隔が徐々に小さくなるようにしたものが知られている。
【特許文献１】特開昭６２−１０９００３号公報
【特許文献２】特開平５−２１６０３０号公報
【特許文献３】特開昭８−２８６０３７号公報
【発明の開示】
【発明が解決しようとする課題】
【０００５】
上述した従来の平面照明装置は、導光板の表面部や裏面部に反射部材を設け、どちらか一方に帯状のスリットである欠切部を設け、欠切部が光源に近いほど小さくすることで、光源に近いほどスリットから漏れる光の量をコントロールし、全体を均一に出射するようにしているが、出射光がスリット状になってしまうため、見栄えが悪い。また、特に光源に近い所では、スリットが小さいために、輝線として現れる。しかも、光源に近い光のため、光のエネルギが大きく、より強い輝線となってしまう課題がある。
また、光源が点状の場合には、点光源の発光部を中心とする円弧状スリットを設け、光源からの距離が大となるにつれスリット間が狭くなるようにする場合も上記と同様な理由で円弧状の輝線が現れてしまう課題がある。
【０００６】
さらに、従来の平面照明装置として、導光板の表面側に拡散部材を設けるとともに裏面側に反射部材を設け、導光板の反射面（裏面）に所定の長さを有する断面Ｖ字状のＶ字溝が光源と平行に各々が所定の間隔をもって離隔して一列にて配置され各列の隣接列が交互に千鳥状に配置し、光源から遠ざかるにつれ間隔が徐々に小さくなるように配列するものでは、導光板内に入射された光が進行方向に対するＶ字溝の傾斜面によって反射され表面側に偏向させるので、特に強い出射光は光源に対して常に平行な出射光であるために、例えば光源の両端部等では出射光の輝度が低くなってしまう課題がある。
特に光源が点光源の場合には、光源からの位置によって輝度分布が均一でない場合が多いために隅等で著しく輝度低下になってしまう課題がある。
【０００７】
また、従来の導光板として、表面や裏面全体に反射屈折させるＶ溝の窪みを入射方向に平行に多数断続的に千鳥状や円弧状に設け、光の進行方向に沿って窪み同士の間に隙間を設け、光源から遠ざかるにつれ間隔が徐々に小さくなるようにしたものでは、光源から遠ざかるにつれ間隔が徐々に小さくなるようにしても大きな導光板では窪みに遮られてしまう課題がある。
【０００８】
さらに、表面や裏面全体にＶ溝の窪みを入射方向に対して円弧状に多数断続的に設けて、陰極線管での中央部が強く、周辺部で弱くなっている場合にも一様な分布を期待しているが、陰極線管の中央部分からの光を反射させるために円弧状にするために、陰極線管からの平行光は利用できないので、陰極線管の中央部分からの光は斜方向からの光しか利用できず、陰極線管からの平行光よりもエネルギが低く、反射された光の出射位置（形状）が異なり、全体として一様な出射光でなく、表面からの出射された輝度分布に課題がある。
【０００９】
また、従来の導光板は、表面部や裏面部に設けた種々の反射や屈折をさせる手段に於いて、単に表面部や裏面部に設けて表面部と裏面部との関連性がないものであった為に、十分な光の利用に課題があった。
そのため、このような導光板を用いた従来の平面照明装置は、光の輝度に対して不満足なものであった。
【００１０】
（発明の目的）
本発明は、上記のような課題を解決するためになされたもので、導光板の出射面部や反出射面部に投射した形状が鼓形形状を有して鼓形形状の凹部分が任意の曲率半径で欠切するととに傾斜曲面を有し、鼓形形状の両端の直線部分が互いに球曲面で接続されているアーチ状形状をした凹状素子を用いて、凹状素子の何れか１つの傾斜曲面を入射端面部方向に向けて設けるとともに凹状の反射素子を入射端面部以外の端辺部の付近や入射端面部方向に存在する凹状素子の入射端面部方向の反対側の傾斜曲面に対応した位置に設けて入射端面部から導かれる光を凹状素子の傾斜曲面で反射や屈折をし、さらにこの凹状素子を透過した光を凹状の反射素子によって略出射面部方向に全反射させたり、戻ってきた光を再度凹状素子の傾斜曲面で反射や屈折を行い斑の無い明るい出射光を得ることのできる導光板と、この導光板を用いた平面照明装置を提供することを目的としている。
【課題を解決するための手段】
【００１１】
本発明の請求項１に係る導光板は、投射した形状が鼓形形状を有し、鼓形形状の凹部分が任意の曲率半径で欠切するとともに傾斜曲面を有し、鼓形形状の両端の直線部分が互いに球曲面で接続されているアーチ状形状をした凹状素子を出射面部または／および反出射面部に設けたことを特徴とする。
【００１２】
請求項１に係る導光板は、投射した形状が鼓形形状を有し、鼓形形状の凹部分が任意の曲率半径で欠切するとともに傾斜曲面を有し、鼓形形状の両端の直線部分が互いに球曲面で接続されているアーチ状形状をした凹状素子を出射面部または／および反出射面部に設けたので、傾斜曲面に進んだ光が広がりを持って反射や屈折をする。
【００１３】
また、請求項２に係る導光板は、凹状素子が何れか１つの傾斜曲面を入射端面部方向に向けて配置することを特徴とする。
【００１４】
請求項２に係る導光板は、凹状素子が何れか１つの傾斜曲面を入射端面部方向に向けて配置するので、傾斜曲面の全てが導光板内に入射した光と遭遇することができる。
【００１５】
さらに、請求項３に係る導光板は、出射面部または／および反出射面部の入射端面部以外の端辺部の付近に入射端面部方向に反射する凹状の反射素子をさらに具備したことを特徴とする。
【００１６】
請求項３に係る導光板は、出射面部または／および反出射面部の入射端面部以外の端辺部の付近に入射端面部方向に反射する凹状の反射素子をさらに具備したので、入射端面部以外の端辺部の付近に来た光を入射端面部方向に反射することができる。
【００１７】
また、請求項４に係る導光板は、反射素子を入射端面部方向に存在する凹状素子の入射端面部方向の反対側の傾斜曲面に対応した位置に設けることを特徴とする。
【００１８】
請求項４に係る導光板は、反射素子を入射端面部方向に存在する凹状素子の入射端面部方向の反対側の傾斜曲面に対応した位置に設けるので、入射端面部方向からの光を凹状素子の傾斜曲面で透過屈折して来た光を全反射して出射面部や反出射面部に向けることができる。
【００１９】
さらに、請求項５に係る導光板は、反射素子が少なくとも１つの反射面を有し、三角柱凹形状、台形柱凹形状、三角錐凹形状、四角錐凹形状、円錐凹形状の何れかからなることを特徴とする。
【００２０】
請求項５に係る導光板は、反射素子が少なくとも１つの反射面を有し、三角柱凹形状、台形柱凹形状、三角錐凹形状、四角錐凹形状、円錐凹形状の何れかからなるので、少なくとも１つの反射面で入射端面部からの光やアーチ状形状からの光を全反射することができるとともに他方からの光も他の反射面で全反射することができる。
【００２１】
また、請求項６に係る平面照明装置は、光源と、
該光源からの光を導く入射端面部と、入射端面部からの入射光を出射する出射面部と、当該出射面部の反対側に位置する反出射面部と、これら出射面部と反出射面部とに交わる側面部とを有し、投射した形状が鼓形形状を有し、鼓形形状の凹部分が任意の曲率半径で欠切するとともに傾斜曲面を有し、鼓形形状の両端の直線部分が互いに球曲面で接続されているアーチ状形状をした凹状素子を出射面部または／および反出射面部に設けた導光板とを少なくとも具備したことを特徴とする。
【００２２】
請求項６に係る平面照明装置は、光源と、
該光源からの光を導く入射端面部と、入射端面部からの入射光を出射する出射面部と、当該出射面部の反対側に位置する反出射面部と、これら出射面部と反出射面部とに交わる側面部とを有し、投射した形状が鼓形形状を有し、鼓形形状の凹部分が任意の曲率半径で欠切するとともに傾斜曲面を有し、鼓形形状の両端の直線部分が互いに球曲面で接続されているアーチ状形状をした凹状素子を出射面部または／および反出射面部に設けた導光板とを少なくとも具備したので、導光板内に入射した光源からの光が凹状素子の傾斜曲面に遭遇し、傾斜曲面によって光が広がりを持って反射や屈折をする。
【００２３】
さらに、請求項７に係る平面照明装置は、導光板に出射面部または／および反出射面部の入射端面部以外の端辺部の付近に入射端面部方向に反射する凹状の反射素子を設けたことを特徴とする。
【００２４】
請求項７に係る平面照明装置は、導光板に出射面部または／および反出射面部の入射端面部以外の端辺部の付近に入射端面部方向に反射する凹状の反射素子を設けたので、入射端面部以外の端辺部の付近に来た光を入射端面部方向に反射することができる。
【００２５】
また、請求項８に係る平面照明装置は、導光板に入射端面部方向に存在する凹状素子の入射端面部方向の反対側の傾斜曲面に対応した位置に反射素子を設けることを特徴とする。
【００２６】
請求項８に係る平面照明装置は、導光板に入射端面部方向に存在する凹状素子の入射端面部方向の反対側の傾斜曲面に対応した位置に反射素子を設けるので、入射端面部方向からの光を凹状素子の傾斜曲面で透過屈折して来た光を反射して、再度凹状素子の傾斜曲面に向けることができる。
【００２７】
さらに、請求項９に係る平面照明装置は、導光板に設けた凹状素子の何れか１つの傾斜曲面を光源方向に向けて配置することを特徴とする。
【００２８】
請求項９に係る平面照明装置は、導光板に設けた凹状素子の何れか１つの傾斜曲面を光源方向に向けて配置するので、光源からの光を確実に凹状素子の何れか１つの傾斜曲面で受け、全反射や屈折をすることができる。
【発明の効果】
【００２９】
以上のように、請求項１に係る導光板は、投射した形状が鼓形形状を有し、鼓形形状の凹部分が任意の曲率半径で欠切するとともに傾斜曲面を有し、鼓形形状の両端の直線部分が互いに球曲面で接続されているアーチ状形状をした凹状素子を出射面部または／および反出射面部に設けたので、傾斜曲面に進んだ光が広がりを持って反射や屈折をする。
そのために、指向性の光でも光を広げて均一な出射光を得ることができる。
【００３０】
請求項２に係る導光板は、凹状素子が何れか１つの傾斜曲面を入射端面部方向に向けて配置するので、傾斜曲面の全てが導光板内に入射した光と遭遇することができる。
そのために、傾斜曲面で広がりを持って反射や屈折を行い指向性の光でも光を広げて均一な出射光を得ることができる。
【００３１】
請求項３に係る導光板は、出射面部または／および反出射面部の入射端面部以外の端辺部の付近に入射端面部方向に反射する凹状の反射素子をさらに具備したので、入射端面部以外の端辺部の付近に来た光を入射端面部方向に反射することができる。
そのために、入射端面部方向と反射素子とを結ぶ線上に反射光を存在させることができ再度光を利用する可能性を得ることができる。
【００３２】
請求項４に係る導光板は、反射素子を入射端面部方向に存在する凹状素子の入射端面部方向の反対側の傾斜曲面に対応した位置に設けるので、入射端面部方向からの光を凹状素子の傾斜曲面で透過屈折して来た光を全反射して出射面部や反出射面部に向けることができる。
そのために、凹状素子の傾斜曲面で透過屈折された光を反射素子で広がりを持って反射をすることができ、無駄なく光を最大限に利用することができる。
【００３３】
請求項５に係る導光板は、反射素子が少なくとも１つの反射面を有し、三角柱凹形状、台形柱凹形状、三角錐凹形状、四角錐凹形状、円錐凹形状の何れかからなるので、少なくとも１つの反射面で入射端面部からの光やアーチ状形状からの光を全反射することができるとともに他方からの光も他の反射面で全反射することができる。
そのために、無駄なく入射端面部からの光を利用することができる。
【００３４】
請求項６に係る平面照明装置は、光源と、
該光源からの光を導く入射端面部と、入射端面部からの入射光を出射する出射面部と、当該出射面部の反対側に位置する反出射面部と、これら出射面部と反出射面部とに交わる側面部とを有し、投射した形状が鼓形形状を有し、鼓形形状の凹部分が任意の曲率半径で欠切するとともに傾斜曲面を有し、鼓形形状の両端の直線部分が互いに球曲面で接続されているアーチ状形状をした凹状素子を出射面部または／および反出射面部に設けた導光板とを少なくとも具備したので、導光板内に入射した光源からの光が凹状素子の傾斜曲面に遭遇し、傾斜曲面によって光が広がりを持って反射や屈折をする。
そのために、指向性の光でも光を広げて均一な出射光を得ることができる。
【００３５】
請求項７に係る平面照明装置は、導光板に出射面部または／および反出射面部の入射端面部以外の端辺部の付近に入射端面部方向に反射する凹状の反射素子を設けたので、入射端面部以外の端辺部の付近に来た光を入射端面部方向に反射することができる。
そのために、入射端面部と反射素子とを結ぶ線上に反射光を存在させることができ再度光を利用する可能性を得ることができるために明るい出射光を得ることができる。
【００３６】
請求項８に係る平面照明装置は、導光板に入射端面部方向に存在する凹状素子の入射端面部方向の反対側の傾斜曲面に対応した位置に反射素子を設けるので、入射端面部方向からの光を凹状素子の傾斜曲面で透過屈折して来た光を反射して、再度凹状素子の傾斜曲面に向けることができる。
そのために、再度凹状素子の傾斜曲面で反射素子からの反射光を、広がりを持って反射や屈折をすることができ、無駄なく光を最大限に利用することができるために明るい出射光を得ることができる。
【００３７】
請求項９に係る平面照明装置は、導光板に設けた凹状素子の何れか１つの傾斜曲面を光源方向に向けて配置するので、光源からの光を確実に凹状素子の何れか１つの傾斜曲面で受け、全反射や屈折をすることができる。
そのために、全ての光源からの光を広げて均一な出射光を得ることができる。
【発明を実施するための最良の形態】
【００３８】
以下、本発明の実施の形態を添付図面に基づいて説明する。
なお、本発明は、投射した形状が鼓形形状を有し、鼓形形状の凹部分が任意の曲率半径で欠切するととに傾斜曲面を有し、鼓形形状の両端の直線部分が互いに球曲面で接続されているアーチ状形状をした凹状素子の何れか１つの傾斜曲面を入射端面部方向に向けて配置するとともに入射端面部方向に反射する凹状の反射素子を凹状素子の入射端面部方向の反対側の傾斜曲面に対応した位置や入射端面部以外の端辺部の付近位置になるように反出射面部に設けた導光板と、この導光板を用いた平面照明装置を提供するものである。
【００３９】
図１は本発明に係る平面照明装置の略斜視図、図２（ａ），（ｂ）は本発明に係る導光板上に設けた形状の略斜視図、図３（ａ），（ｂ）は本発明に係る導光板上に設けた形状の投射図および側面図、図４（ａ），（ｂ）は本発明に係る導光板上に設けた凹状素子の略分布図、図５（ａ），（ｂ）および図６（ａ），（ｂ）は本発明に係る導光板上に設けた凹状素子および反射素子の略分布図、図７および図８は本発明に係る凹状素子の光の軌跡図、図９（ａ）〜（ｅ）は本発明に係る導光板上に設けた反射素子の略図、図１０は本発明に係る凹状素子と反射素子との光の軌跡図である。
【００４０】
図１の平面照明装置１は、導光板２と、光源１１と、反射体またはケース１２からなる構成である。
【００４１】
導光板２は、屈折率ｎが１．４〜１．７程度の透明なアクリル樹脂（ＰＭＭＡ）やポリカーボネート（ＰＣ）等で形成される。導光板２は、光源１１からの光を導く入射端面部３と、入射端面部３の反対側に位置する反入射端面部４と、入射端面部３からの光を出射する出射面部６と、この出射面部６の反対側に位置する反出射面部５と、これら出射面部６と反出射面部５とに交わる側面部７とから成り、反出射面部５には凹状素子８および反射素子９を設け、出射面部６には出光素子１０を設ける。
【００４２】
導光板２の入射端面部３から入射した光は、屈折角γが０≦｜γ｜≦Ｓｉｎ-1（１／ｎ）の式を満たす範囲で導光板２内に進む。例えば一般の導光板２に使用されている樹脂材料であるアクリル樹脂の屈折率ｎはｎ＝１．４９程度であるので、最大が入射角９０°となり、入射端面部３で屈折する屈折角γはγ＝０〜±４２°程度の範囲内となり、入射端面部３から導光板２内を伝播する。
【００４３】
さらに、屈折角γ＝０〜±４２°の範囲内で導光板２内に入射した光は、導光板２と空気層（屈折率ｎ＝１）との境界面において、Ｓｉｎα＝（１／ｎ）の式により臨界角を表わすことができる。例えば一般の導光板２に使用されている樹脂材料であるアクリル樹脂の屈折率はｎ＝１．４９程度であるので、臨界角αはα＝４２°程度になる。そして、導光板２内の光は、導光板２の出射面部６や反出射面部５に光線を偏向する溝等の凸や凹等が無かったり、臨界角αを越えなければ、出射面部６や反出射面部５で全て全反射しながら入射端面部３の反対方向へ進むことになる。
但し、入射端面部３から反入射端面部４方向に進むに従い導光板２の厚さが徐々に薄くなるような楔形状の導光板２の場合には、導光板２の楔形状の傾斜により臨界角αを破って出射（テーパーリーク）する。
【００４４】
導光板２は、投射した形状が図３（ａ）のような鼓形形状を有して、この鼓形形状の２つの凹部分８ｅが任意の曲率半径ｒで欠切するとともに傾斜曲面８ａおよび傾斜曲面８ｂを有し、鼓形形状の両端の直線部分８ｄが互いに図３（ｂ）の側面図に示すような球曲面８ｃで接続されているアーチ状形状をした凹状素子８を複数設ける。
【００４５】
また、凹状素子８は、傾斜曲面８ａまたは傾斜曲面８ｂの何れか１つを入射端面部３方向に向けて配置する。
【００４６】
ここで、図７に凹状素子８における光の軌跡を説明する。
入射端面部３から入射して凹状素子８の傾斜曲面８ａ方向に進んだ光の内、屈折角γが微小（略平行）の光線Ｌｓ０は、傾斜曲面８ａに達して傾斜曲面８ａで屈折し、光線Ｌｓｔとして一度出射面部６方向の外部（空気層）に出射する。この出射光Ｌｓｔは、再度凹状素子８の傾斜曲面８ｂで再度微小な屈折をし、屈折光Ｌｓｔｉとして導光板２の内部を進む。
同様に、屈折角γが小さい光線Ｌは、傾斜曲面８ａで屈折し、光線Ｌｔとして一度外部（空気層）に出射する。そして、凹状素子８の傾斜曲面８ｂ方向に進んだ光線Ｌｔは、傾斜曲面８ｂで再度屈折し、屈折光Ｌｔｉとして導光板２内を進む。
【００４７】
また、屈折角γが大きな光線Ｌ０は、傾斜曲面８ａで屈折し、出射光Ｌ０ｔとして導光板２の反出射面部５の外部（空気層）に出射する。
同様に、屈折角γが大きな光線Ｌ０１は、傾斜曲面８ａで屈折し、出射光Ｌ０１ｔとして導光板２の反出射面部５の外部（空気層）に出射する。
【００４８】
さらに、屈折角γが大きな光線の内、凹状素子８に直接達せずに一度反出射面部５方向に進んだ光線Ｌｒは、反出射面部５で一度全反射し、反射光Ｌｒｒとして凹状素子８方向に進む。この反射光Ｌｒｒは、傾斜曲面８ａに対しての入射角が大きいために傾斜曲面８ａで全反射し、反射光Ｌｒｒ０として出射面部６方向に向かう。
同様に、反出射面部５方向に進んだ光線Ｌｒ０は、反出射面部５で一度全反射し、反射光Ｌｒ０ｒとして凹状素子８方向に進む。この反射光Ｌｒ０ｒは、傾斜曲面８ａに対しての入射角が大きいために傾斜曲面８ａで全反射し、反射光Ｌｒ０ｒ０として出射面部６方向に向かう。
【００４９】
尚、ここでは反出射面部５に凹状素子８を設けたが、出射面部６に凹状素子８を設けても凹状素子８に対する作用は同じであって、例えば出射面部６のみに凹状素子８を設けることによって、図７に於ける出射光Ｌ０ｔやＬ０１ｔのように傾斜曲面８ａを屈折透過した光は導光板２の出射面部６に対して大きな出射角（導光板２の出射面部６に沿ったように）で出射し、反射光Ｌｒ０ｒ０や反射光Ｌｒｒ０のように傾斜曲面８ａで全反射した光は反出射面部５方向に向かい一度反出射面部５から出射し、この導光板２の反出射面部５の下部に反射性を有した反射体またはケース１２によって反射され、再度導光板２（反出射面部５）に導かれて出射面部６から出射することができる。
さらに、出射面部６と反出射面部５とに凹状素子８を設けた場合には、反出射面部５のみに凹状素子８を設けた時と出射面部６のみに凹状素子８を設けた時との相互効果を得ることができる。
【００５０】
尚、凹状素子８の傾斜曲面８ａや傾斜曲面８ｂは、凹状素子８の球曲面８ｃが成す大きさや任意の曲率半径ｒで欠切する大きさで変化し、また球曲面８ｃの成す深さ（高さ）によっても異なり、さらに任意の曲率半径ｒで欠切する中心位置等によっても異なり、これらの異なる凹状素子８の空間に対する全反射する方位角や極角および屈折する方位角や極角も変化することができ、出射方向の方位角や極角も導光板２上で目的に合わせてコントロールすることができる。
【００５１】
また、図８は凹状素子８の投射した方向からの鼓形形状での光の軌跡を示す。
上記図７で示した光線ＬやＬｓ０の光線は、傾斜曲面８ａへの入射角が小さい為に、傾斜曲面８ａで外部（空気層）に屈折し、再度傾斜曲面８ｂで屈折して導光板２内に入射するが、これら屈折する時に出射面部６や反出射面部５から観測した場合には、導光板２内からの光は円弧状の曲面をした傾斜曲面８ａによって鼓形形状の両端の直線部分８ｄ方向に屈折される。
【００５２】
導光板５２内からの光線Ｌ０は、凹状素子８での鼓形形状の中心に進む。この光線Ｌ０は屈折せずに直進し、空気層を通過し再度傾斜曲面８ｂにおいても屈折せずに傾斜曲面８ｂから直進し導光板２の内部に進む。
但し、図７で説明したように、出射面部６と反出射面部５との導光板２の厚さ方向には屈折している。
【００５３】
さらに、導光板２内からの光線Ｌ００は、凹状素子８での鼓形形状の両端に進む。この光線Ｌ００は傾斜曲面８ａで外側方向に屈折し、一度外部（空気層）に出た屈折光線Ｌ０ｉが鼓形形状の両端の直線部分８ｄ方向に進み、両端の直線部分８ｄでさらに屈折して導光板２の内部に光線Ｌｔｔが進む。
【００５４】
また、凹状素子８に対して直角方向からでない光線Ｌ０１は、傾斜曲面８ａでやや外側方向に屈折し、一度外部（空気層）に出た屈折光線Ｌ０ｔが傾斜曲面８ｂ方向に進み、さらに傾斜曲面８ｂでは傾斜曲面８ａとは逆の曲面のためにやや集光するように屈折して屈折光Ｌｔ１が導光板２の内部に進む。
【００５５】
尚、ここでは図示しないが、傾斜曲面８ａへの入射角が小さい光に対し上記で説明した図７に凹状素子８における傾斜曲面８ａに対しての入射角が大きい反射光ＬｒｒやＬｒ０ｒは傾斜曲面８ａで全反射し、出射面部６方向に向かうが、これら全反射する時に出射面部６や反出射面部５から観測した場合には、導光板２内からの光は円弧状の曲面をした傾斜曲面８ａによって広がりを持って（鼓形形状の両端の直線部分８ｄ方向に）全反射される。
【００５６】
さらに、図４に示すように、導光板２の出射面部６や反出射面部５に設ける凹状素子８は、凹状素子８の傾斜曲面８ａや傾斜曲面８ｂの何れか１つの傾斜曲面８ａまたは傾斜曲面８ｂを入射端面部３方向に向けて配置する。
【００５７】
図４（ａ）は、導光板２の入射端面部３の中央に光源１１を備え、凹状素子８の凹部分８ｅ（傾斜曲面８ａまたは傾斜曲面８ｂ）を入射端面部３方向に向けて設ける。
光源１１の出光面に対して入射端面部３の大きさが大きい為に、光源１１から入射端面部３に光が進入する時に、光源１１からの光が放射状（円弧状）に進む。
そのために、光の進む状態に対応して凹状素子８を略放射状（円弧状）に設けて、傾斜曲面８ａまたは傾斜曲面８ｂが光源１１に向かうように凹部分８ｅを分布させる。
【００５８】
また、図４（ｂ）は、入射端面部３を導光板２の隅に設け、この入射端面部３の近傍に光源１１を備え、凹状素子８の凹部分８ｅ（傾斜曲面８ａまたは傾斜曲面８ｂ）を入射端面部３方向に向けて設ける。
導光板の大きさに対して入射端面部３の大きさが小さく、入射端面部３が導光板２の隅に設けた為に、光源１１から入射端面部３に光が進入する時に、光源１１からの光が入射端面部３から導光板２内に広がって進む。
そのために、光の進む状態に対応して凹状素子８を入射端面部３方向に向けて、傾斜曲面８ａまたは傾斜曲面８ｂが光源１１に向かうように凹部分８ｅを分布させる。
尚、図示しないが、図４（ｂ）の場合においても、導光板２の大きさ等が大きな時に図４（ａ）のように凹状素子８を入射端面部３方向に向けて略放射状（円弧状）に設けても良い。
【００５９】
このように、傾斜曲面８ａまたは傾斜曲面８ｂの全てが導光板２内に入射した光と遭遇することができ、傾斜曲面８ａや傾斜曲面８ｂで広がりを持って反射や屈折を行い指向性の光でも光を広げて均一な出射光を得ることができる。
【００６０】
よって、投射した形状が図８のような鼓形形状を有し、鼓形形状の凹部分８ｅが任意の曲率半径で欠切するとともに傾斜曲面８ａおよび傾斜曲面８ｂを有し、鼓形形状の両端の直線部分８ｄが互いに球曲面で接続されているアーチ状形状８ｃをした凹状素子８を出射面部６や反出射面部５に設けたので、傾斜曲面８ａに進んだ光が広がりを持って全反射や屈折をし、指向性の光でも光を広げて均一な出射光を得ることができる。
【００６１】
さらに、図１０は入射端面部３方向から来る光に対して凹状素子８の入射端面部３方向に向いた傾斜曲面８ａの反対側の傾斜曲面８ｂに対向するように反射素子９を反出射面部６に設ける。
【００６２】
尚、反射素子９は、図９に示すように、三角柱凹形状１９ａ、台形柱凹形状１９ｂ、三角錐凹形状１９ｃ、四角錐凹形状１９ｄ、円錐凹形状１９ｅ等から成り、空間１９は少なくとも１つの反射面９ａまたは反射面９ｂを有して、少なくとも１つの反射面９ａまたは反射面９ｂを凹状素子８の傾斜曲面８ｂ方向および入射端面部３方向に設け、反射面９ａで反射面９ａに向かってくる光を出射面部６方向に全反射することができる。
【００６３】
また、反射素子９の三角柱凹形状１９ａは、傾斜曲面８ｂ方向および入射端面部３方向からの光を全反射する反射面９ａと、この反射面９ａの反対側に反射面９ｂを有して他方からの光も出射面部６方向に全反射することができる。
尚、反射面９ｂが傾斜角を持たない（反出射面部５方向や出射面部６方向に対して垂直方向）時には、傾斜曲面８ｂ方向および入射端面部３方向からの光のみを全反射する。
【００６４】
同様に台形柱凹形状１７ｂは、傾斜曲面８ｂ方向および入射端面部３方向からの光を全反射する反射面９ａと、この反射面９ａの反対側に反射面９ｂを有するとともにこれら反射面９ａと反射面９ｂとに接続した平面部９ｄを有して、反射面９ｂによって他方からの光も出射面部６方向に全反射することができ、平面部９ｄによって反射面９ａや反射面９ｂに達しなかった光を再度全反射して伝播してきた反対方向に伝播させる。
【００６５】
さらに、三角錐凹形状１７ｃは、傾斜曲面８ｂ方向および入射端面部３方向からの光を全反射する反射面９ａと、反射面９ａに接続する２つの反射面９ｂを有して他方からの光も出射面部６方向に全反射することができる。
尚、２つの反射面９ｂを反出射面部５方向や出射面部６方向に対して垂直方向の（反射面９ｂが傾斜角を持たない）時には、傾斜曲面８ｂ方向および入射端面部３方向からの光のみを全反射する。
また、隣り合う反射面９ａや反射面９ｂの接続部（稜）を入射端面部３方向に向けた場合には、傾斜曲面８ｂ方向および入射端面部３の反対方向の出射面部６方向に極角や方位角が異なって全反射することができる。
【００６６】
同様に、四角錐凹形状１７ｄは、傾斜曲面８ｂ方向および入射端面部３方向からの光を全反射する反射面９ａと、反射面９ａと同様な３つの反射面９ｂを有して互いに接続し頂点で交わり、他の３つの反射面９ｂによって他方全てからの光も出射面部６方向に全反射することができる。
尚、隣り合う反射面９ａやや反射面９ｂの接続部（稜）を傾斜曲面８ｂ方向および入射端面部３方向に向けた場合には、傾斜曲面８ｂ方向および入射端面部３の反対方向の出射面部６方向に極角や方位角が異なって全反射することができる。
【００６７】
さらに、円錐凹形状１７ｅは、傾斜曲面８ｂ方向および入射端面部３方向からの光のみならず、あらゆる方向からの光を全反射する反射面９ａを有し、あらゆる方向に全反射することができる。
【００６８】
図１０は、図７でも説明したように、傾斜曲面８ａで屈折し一度、外部（空気層）に出射し、また凹状素子８の傾斜曲面８ｂ方向に進み傾斜曲面８ｂで再度屈折して導光板２内を進む光線を積極的に再度利用するものである。図１０において、入射端面部３方向から来る光線Ｌ１は、傾斜曲面８ａで屈折し、光線Ｌ１ｔとして一度外部（空気層）に出射する。凹状素子８の傾斜曲面８ｂ方向に進んだ光線Ｌ１ｔは、傾斜曲面８ｂで再度屈折し、屈折光Ｌ１ｔｒとして反射素子９の傾斜面部９ａ（傾斜曲面８ｂに対向する）に進む。この屈折光Ｌ１ｔｒは、傾斜曲面９ａで全反射し、全反射光線Ｌ１ｔ０として略直角に出射面部６方向に進み出射面部６から出射する。
【００６９】
同様に、入射端面部３方向から来る光線Ｌ２は、傾斜曲面８ａで屈折し、光線Ｌ２ｔとして一度外部（空気層）に出射する。凹状素子８の傾斜曲面８ｂ方向に進んだ光線Ｌ２ｔは、傾斜曲面８ｂで再度屈折し、屈折光Ｌ２ｔｒとして反射素子９の傾斜面部９ａ（傾斜曲面８ｂに対向する）に進む。この屈折光Ｌ２ｔｒは、傾斜曲面９ａで全反射し、全反射光線Ｌ２ｔ０として略直角に出射面部６方向に進み出射面部６から出射する。
【００７０】
さらに同様に、光線Ｌ３は、傾斜曲面８ａで屈折し、光線Ｌ３ｔとして一度外部（空気層）に出射する。凹状素子８の傾斜曲面８ｂ方向に進んだ光線Ｌ３ｔは、傾斜曲面８ｂで再度屈折し、屈折光Ｌ３ｔｒとして反射素子９の傾斜面部９ａ（傾斜曲面８ｂに対向する）に進む。この屈折光Ｌ３ｔｒは、傾斜曲面９ａで全反射し、全反射光線Ｌ３ｔ０として略直角に出射面部６方向に進み出射面部６から出射する。
【００７１】
また、ここでは図示しないが、入射端面部３方向へ凹状素子８の傾斜曲面８ａを向けて、入射端面部３から入射した光が凹状素子８の傾斜曲面８ａ方向に進み傾斜曲面８ａによって全反射や屈折により光を出射面部６方向等に偏向させたが、これら凹状素子８の傾斜曲面８ａに達し得なかった光は入射端面部３の反対側に位置する反入射端面部４に達し、この反入射端面部４によって、反射され入射端面部３方向に反射された反射光が再度凹状素子８の傾斜曲面８ｂに達することで、上記で説明したのと同様に傾斜曲面８ｂによって出射面部６方向等に偏向される。
よって、入射端面部３と反入射端面部４との間を行き来する間に傾斜曲面８ａと傾斜曲面８ｂを利用し凹状素子８を最大限に活用することができるためより多くの光を出射することができる。
【００７２】
このように、投射した形状が図８のような鼓形形状を有し、鼓形形状の凹部分８ａや８ｂが任意の曲率半径で欠切するとともに傾斜曲面８ａおよび傾斜曲面８ｂを有し、鼓形形状の両端の直線部分８ｄが互いに球曲面で接続されているアーチ状形状８ｃをした凹状の凹状素子８と、この凹状素子８の入射端面部３方向に向いた傾斜曲面８ａの反対側の傾斜曲面８ｂに対向するように反射素子９とを出射面部６や反出射面部５に設けたので、傾斜曲面８ａに進んだ光が広がりを持って全反射し、指向性の光でも光を広げて均一な出射光を得ることができ、凹状素子８の傾斜曲面８ｂによって透過屈折をして来た光を全反射して出射面部６や反出射面部５に向けることができ、反射素子９から広がりを持って全反射をすることができ、無駄なく光を最大限に利用することができる。
【００７３】
また、図５に示すように、導光板２の出射面部６や反出射面部５に設ける凹状素子８は、凹状素子８の傾斜曲面８ａや傾斜曲面８ｂの何れか１つの傾斜曲面８ａまたは傾斜曲面８ｂを入射端面部３方向に向けて配置するとともに凹状の反射素子９を入射端面部３以外の端辺部の付近に入射端面部３方向に反射するように入射端面部３方向に向けて配置する。
【００７４】
図５（ａ）は、導光板２の入射端面部３の中央に光源１１を備え、凹状素子８の凹部分８ｅ（傾斜曲面８ａまたは傾斜曲面８ｂ）を入射端面部３方向に放射状（円弧状）に向けて設けるとともに凹状の反射素子９を入射端面部３以外の端辺部の付近に入射端面部３方向に反射するように入射端面部３方向に向けて設ける。
図４（ａ）と同様に光源１１の出光面に対して入射端面部３の大きさが大きい為に、光源１１から入射端面部３に光が進入する時に、光源１１からの光が放射状（円弧状）に進む。
そのために、光の進む状態に対応して凹状素子８を略放射状（円弧状）に設けて、傾斜曲面８ａまたは傾斜曲面８ｂが光源１１に向かうように凹部分８ｅを分布させ、入射端面部３以外の反入射端面部４や側面部７等の端辺部の付近に反射素子９を設けて入射端面部３以外の端辺部の付近に進行した光を入射端面部３方向に反射して戻し、反射した反射光が凹状素子８の傾斜曲面８ｂに遭遇することができ光を有効に利用する。
【００７５】
また、図５（ｂ）は、入射端面部３を導光板２の隅に設け、この入射端面部３の近傍に光源１１を備え、凹状素子８の凹部分８ｅ（傾斜曲面８ａまたは傾斜曲面８ｂ）を入射端面部３方向に向けて設けるとともに凹状の反射素子９を入射端面部３以外の端辺部の付近に入射端面部３方向に反射するように入射端面部３方向に向けて設ける。
図４（ｂ）と同様に導光板の大きさに対して入射端面部３の大きさが小さく、入射端面部３が導光板２の隅に設けた為に、光源１１から入射端面部３に光が進入する時に、光源１１からの光が入射端面部３から導光板２内に広がって進む。
そのために、光の進む状態に対応して凹状素子８を入射端面部３方向に向けて、傾斜曲面８ａまたは傾斜曲面８ｂが光源１１に向かうように凹部分８ｅを分布させ、入射端面部３以外の３つの側面部７の端辺部の付近に反射素子９を設けて入射端面部３以外の端辺部の付近に進行した光を入射端面部３方向に反射して戻し、反射した反射光が凹状素子８の傾斜曲面８ｂに遭遇することができ光を有効に利用する。
【００７６】
このように、傾斜曲面８ａまたは傾斜曲面８ｂの全てが導光板２内に入射した光と遭遇することができ、傾斜曲面８ａや傾斜曲面８ｂで広がりを持って反射や屈折を行い指向性の光でも光を広げて均一な出射光を得ることができる。
【００７７】
さらに、図６に示すように、導光板２の出射面部６や反出射面部５に設ける凹状素子８は、凹状素子８の傾斜曲面８ａや傾斜曲面８ｂの何れか１つの傾斜曲面８ａまたは傾斜曲面８ｂを入射端面部３方向に向けて配置し、この配置した凹状素子８と一対になるように凹状素子８とペアーに反射素子９を設け、凹状素子８の入射端面部３方向に向いた傾斜曲面８ａの反対側の傾斜曲面８ｂに対向するように反射素子９の反射面９ａを向けて反出射面部６に設ける。
【００７８】
図６（ａ）は、導光板２の入射端面部３の中央に光源１１を備え、凹状素子８の凹部分８ｅ（傾斜曲面８ａまたは傾斜曲面８ｂ）を入射端面部３方向に略放射状（円弧状）に向けて設けるとともに凹状素子８と一対になるように反射素子９を凹状素子８の傾斜曲面８ｂに対向するように反射素子９の反射面９ａを向けて設ける。
図４（ａ）および図５（ａ）と同様に光源１１の出光面に対して入射端面部３の大きさが大きい為に、光源１１から入射端面部３に光が進入する時に、光源１１からの光が放射状（円弧状）に進む。
そのために、光の進む状態に対応して凹状素子８と反射素子９とを略放射状（円弧状）に設けて、傾斜曲面８ａまたは傾斜曲面８ｂと反射素子９の反射面９ａまたは反射面９ｂとのペアーが光源１１に向かうように一対の凹部分８ｅおよび反射素子９を分布させ、凹状素子８の傾斜曲面８ａまたは傾斜曲面８ｂによって出射面部６方向に全反射させ、凹状素子８の傾斜曲面８ａまたは傾斜曲面８ｂによって屈折し透過した光を反射素子９の反射面９ａまたは反射面９ｂで全反射し、出射面部６方向に出射する。
【００７９】
また、図６（ｂ）は、入射端面部３を導光板２の隅に設け、この入射端面部３の近傍に光源１１を備え、凹状素子８の凹部分８ｅ（傾斜曲面８ａまたは傾斜曲面８ｂ）を入射端面部３方向に向けて設けるとともに凹状素子８と一対になるように反射素子９を凹状素子８の傾斜曲面８ｂに対向するように反射素子９の反射面９ａを向けて設ける。
図４（ｂ）および図５（ｂ）と同様に導光板の大きさに対して入射端面部３の大きさが小さく、入射端面部３が導光板２の隅に設けた為に、光源１１から入射端面部３に光が進入する時に、光源１１からの光が入射端面部３から導光板２内に広がって進む。
そのために、光の進む状態に対応して凹状素子８と反射素子９とを入射端面部３方向に向けて、傾斜曲面８ａまたは傾斜曲面８ｂと反射素子９の反射面９ａまたは反射面９ｂとのペアーが光源１１に向かうように凹部分８ｅおよび反射素子９を分布させ、凹状素子８の傾斜曲面８ａまたは傾斜曲面８ｂによって出射面部６方向に全反射させ、凹状素子８の傾斜曲面８ａまたは傾斜曲面８ｂによって屈折し透過した光を一対の反射素子９の反射面９ａまたは反射面９ｂで全反射し、出射面部６方向に出射する。
【００８０】
このように、導光板２は、反射素子９を入射端面部３方向に存在する凹状素子８の入射端面部３方向の反対側の傾斜曲面８ｂに対応した位置に設けるので、入射端面部３方向からの光を凹状素子８の傾斜曲面８ｂで透過屈折して来た光を全反射して出射面部６や反出射面部５に向けることができ、一度凹状素子８の傾斜曲面８ａによって出射面部６方向に全反射させ、凹状素子８の傾斜曲面８ｂで透過屈折された光を再度反射素子９によって広がりを持って全反射をすることができ、無駄なく光を最大限に利用することができる。
【００８１】
尚、ここでは凹状素子８と一対になるように凹状素子８とペアーに反射素子９を設けたが、２つの凹状素子８をペアーとして設け、図６と同様に入射端面部３側の第１の凹状素子８の傾斜曲面８ａによって出射面部６方向に全反射させ、凹状素子８によって屈折し傾斜曲面８ｂから透過した光を再び第２の凹状素子８の傾斜曲面８ａによって出射面部６方向に全反射し、出射面部６方向に出射する。
【００８２】
出光素子１０は、図示しないが、微細な凸形状や微細な凹形状の円弧状、楕円状、三角錐、四角錐、円錐、三角柱および四角柱等のドット形状からなる。出光素子１０は、図１に示すように、反出射面部５に設けた凹状素子８や反射素子９によって出射面部６方向に全反射させた光を屈折して出射光を偏向させたり、臨界角αに達していない光を臨界角αを破って出射させる。
【００８３】
光源１１は、一体化された赤色発光（Ｒ）、緑色発光（Ｇ）、青色発光（Ｂ）から成る半導体発光素子や、これら半導体発光素子の単色発光半導体発光素子、単色発光半導体発光素子をアレー状にしたもの、Ｒ，Ｇ，Ｂの三原色をアレー状にしたものや青色発光半導体発光素子と蛍光材とを用いた擬似白色半導体発光素子、ＣＣＦＬ（冷陰極蛍光放電管）やＨＣＦＬ（熱陰極蛍光放電管）からなる。
【００８４】
尚、ここでは図示しないが、導光板２の入射端面部３方向のみを開放し、光源１１を包囲し、光源１１から入射端面部３方向以外に出射した光を反射し、再度入射端面部３方向に光を進行させるリフレクタを設けても良い。このリフレクタは、熱可塑性樹脂に多沿えば酸化チタンのような白色材料を混入したシートや熱可塑性樹脂のシートにアルミニウム等の金属蒸着を施したり、金属箔を積層した物やシート状金属からなり、導光板２の入射端面部３の近傍に設けた光源１１を包囲する。
【００８５】
また、リフレクタの反射面を凹凸形状またはプリズム形状を成し、リフレクタでの反射光を散乱光にして、例えばＣＣＦＬやＨＣＦＬ等の光源１１の電極付近での輝度低下部分を補正するようにして均一な反射光にする。
【００８６】
反射体またはケース１２は、熱可塑性樹脂に例えば酸化チタンのような白色材料を混入した物や熱可塑性樹脂にアルミニウム等の金属蒸着を施したり、金属箔を積層した物からなる。
光源１１や入射端面部３および出射面部６以外を覆い、光源１１や出射面部６に出射した以外の漏れ光等の光を反射などし、再び導光板２に入射させる。
【００８７】
このように、導光板２の出射面部６や反出射面部５に投射した形状が鼓形形状を有して鼓形形状の凹部分８ｅが任意の曲率半径ｒで欠切するとともに傾斜曲面８ａや傾斜曲面８ｂを有し、鼓形形状の両端の直線部分８ｄが互いに球曲面８ｃで接続されているアーチ状形状をした凹状素子８を用いて、凹状素子８の傾斜曲面８ａや傾斜曲面８ｂの何れか１つを入射端面部３方向に向けて設けたり、さらに凹状の反射素子９を入射端面部３以外の端辺部の付近や入射端面部３方向に存在する凹状素子８の入射端面部３方向の反対側の傾斜曲面８ｂに対応した位置に設けて入射端面部３から導かれる光を凹状素子８の傾斜曲面８ａで全反射や傾斜曲面８ｂで屈折をし、さらにこの凹状素子８を透過した光を凹状の反射素子９によって出射面部６方向に偏向することによって無駄なく光を最大限に利用し指向性の光でも光を広げて均一で斑の無い明るい出射光を得ることのできる導光板２と、この導光板２を用いた平面照明装置１を提供することができる。
【産業上の利用可能性】
【００８８】
小型なモバイル製品のバックライトから大型のバックライトまであらゆる大きさに適し、平面照明装置からの最終出射光の光が広がりを持っているために広い視野角を得ることができるので、野外やカーナビ等のモバイル液晶装置から大型の液晶テレビ等に利用することができる導光板および平面照明装置ならびに液晶表示装置を提供することができる。
【図面の簡単な説明】
【００８９】
【図１】本発明に係る平面照明装置の略斜視図である。
【図２】（ａ），（ｂ）本発明に係る導光板上に設けた形状の略斜視図である。
【図３】（ａ），（ｂ）本発明に係る導光板上に設けた形状の投射図および側面図である。
【図４】（ａ），（ｂ）本発明に係る導光板上に設けた凹状素子の略分布図である。
【図５】（ａ），（ｂ）本発明に係る導光板上に設けた凹状素子および反射素子の略分布図である。
【図６】（ａ），（ｂ）本発明に係る導光板上に設けた凹状素子および反射素子の略分布図である。
【図７】本発明に係る凹状素子の光の軌跡図である。
【図８】本発明に係る凹状素子の光の軌跡図である。
【図９】（ａ）〜（ｅ）本発明に係る導光板上に設けた反射素子の略図である。
【図１０】本発明に係る凹状素子と反射素子との光の軌跡図である。
【符号の説明】
【００９０】
１  平面照明装置
２  導光板
３  入射端面部
４  反入射端面部
５  反出射面部
６  出射面部
７  側面部
８  凹状素子
８ａ，８ｂ  傾斜曲面
８ｃ  球曲面
８ｄ  両端直線部分
８ｅ  凹部分
９  反射素子
９ａ，９ｂ  反射面
９ｄ  平面部
１０  出光素子
１１  光源
１２  反射体またはケース
１９  空間
１９ａ  三角柱凹形状
１９ｂ  台形柱凹形状
１９ｃ  三角錐凹形状
１９ｄ  四角錐凹形状
１９ｅ  円錐凹形状
ｒ  曲率半径
γ  屈折角
ｎ  屈折率
α  臨界角
Ｌ，Ｌ０，Ｌ０１，Ｌｒ  光線
Ｌｒ０，Ｌｓ０，Ｌｒｒ  光線
Ｌｒ０ｒ，Ｌｒ０ｒ０  光線
Ｌｒｒ０，Ｌ０ｔ，Ｌ０１ｔ  光線
Ｌ２ｔ０，Ｌ３ｔ０  光線
Ｌｓｔ，Ｌｔ，Ｌｔｉ  光線
Ｌｓｔｉ，Ｌｔ１  光線
Ｌｔｔ，Ｌ０ｉ  光線
Ｌ００，Ｌ０１，Ｌ１  光線
Ｌ２，Ｌ３，Ｌ１ｔ  光線
Ｌ２ｔ，Ｌ３ｔ  光線
Ｌ１ｔｒ，Ｌ２ｔｒ  光線
Ｌ３ｔｒ，Ｌ１ｔ０  光線
Ｌ２ｔ０，Ｌ３ｔ０  光線
【図１】
2008027665.tif 000003
【図２】
2008027665.tif 000004
【図３】
2008027665.tif 000005
【図４】
2008027665.tif 000006
【図５】
2008027665.tif 000007
【図６】
2008027665.tif 000008
【図７】
2008027665.tif 000009
【図８】
2008027665.tif 000010
【図９】
2008027665.tif 000011
【図１０】
2008027665.tif 000012